(57)【要約】【課題】壁面から片持ち状態に支持しながら、その先端位置を任意の位置に設定させることで、被介護者等の移動動線を連続したものに容易に形成できる自在手摺を提供する。【解決手段】本発明による自在手摺１は、先端部３が保持体である壁面５から片持ち状態に支持され、手摺１の先端部３の位置を任意の位置に設定しており、具体的には、手摺部の先端位置を伸縮自在に調整したり、手摺部の支持された保持体からの開度を任意に調整することを特徴としている。【選択図】  図１
2004244823.tif 000002
【特許請求の範囲】
【請求項１】
起き上がり、転倒防止等のために壁面等の保持体に取付けられる手摺であって、手摺部が保持体から片持ち状態に支持され手摺部の先端位置を任意の位置に設定できることを特徴とする自在手摺。
【請求項２】
手摺部が、先端位置を伸縮自在に調整されることを特徴とする請求項１に記載の自在手摺。
【請求項３】
手摺部が、支持された保持体からの開度を任意に調整されることを特徴とする請求項１又は２に記載の自在手摺。
【発明の詳細な説明】
【０００１】
【発明の属する技術分野】
本発明は、壁面から片持ち状態に支持され、先端位置を任意の位置に設定することのできる自在手摺に関する。
【０００２】
【従来の技術】
高齢化の傾向に合わせて介護施設の充実を検討するされており、これを受けて数多くの提案もなされてきた。例えば、介護施設の壁面等に装着される介護バーについても、介護者に合った設備を提供するために壁面と介護バーに固着される取付け部の係合部を着脱自在な金具にすることで、介護バーの延在する方向に床面との角度を変更できるようにしたり、使用者の身長等に合わせて手摺の位置を調節するために、壁面等に装着されたレールに沿って手摺の可動部材を望む位置に容易に移動させる等の提案もなされている。
【０００３】
【特許文献１】
特開２００１−３４９０２９号公報（識別番号「００１９」、図１）
【０００４】
本提案は、手摺を水平方向に連続して設けながら、必要な場合には、手摺の配置を変更できるように構成している。このために、建物の壁面（２１）に設置される可動式手摺構造（２０）の手摺（２２）は、その一端（２３）を支点として回動可能に取着けされており、手摺（２２）を水平状態にしたい時には、支点とは反対側の端部（２４）を図４（ａ）の平面図に示す水平状態に受け台（２４’）に固定することで水平手摺を形成すると共に、手摺を垂直状態にしたい場合には、図４（ｂ）の側面図で示すように支点とは反対側の端部（２４）を着脱可能にして垂直状態にして受け台（２４”）に設定して、図４（ｃ）の側面図で示すようにこの状態を固定することで垂直手摺になるように構成している。
【０００５】
【特許文献２】
特開２００１−２２０８７６号公報（識別番号「００１０」〜「００１４」、図１〜１０）
【０００６】
本提案は、トイレ等に設けられている手摺ロッドを上下方向に変位できる可動型手摺に関するものであり、手摺を使用位置から格納位置に持ち上げる作業を軽く容易に行えるようにするものである。
【０００７】
即ち、図５に示すように、可動型手摺において手摺ロッド２５の取り付け基部２６に固着されている支持部材２７は、左右にプレート２８、２８を配置しており、その間に水平基軸２９を回動可能に支持している。そして、水平基軸２９の一方端には、渦巻きスプリング３０を係合させており、格納位置から降下して来る手摺ロッド２５で圧縮されることによって手摺ロッド２５を持ち上げる方向の復元弾力を水平基軸２９に付勢している。
【０００８】
又、水平基軸２９の他方端には、図示されていないディスクダンパーを係合させており、手摺ロッド２５を使用位置から格納位置に持ち上げる時に、水平基軸２９に上記渦巻きスプリング３０の復元弾力を付勢して、手摺ロッド２５の持ち上げ労力を軽減している。
【０００９】
この他にも、壁面やベッド等に装着されている片持ち支持の手摺を所定の角度に回転させて、壁面やベッド等の狭い範囲において掴まり移動できるように構成された可動手摺も提案されているが、この提案も可動手摺を狭い範囲の特定される位置に設定しているものであった。
【００１０】
以上のように従来の各提案は、特定の範囲で使用する手摺に関するものであって、特定された範囲の規定された位置に限定して、手摺を設定したり移動させたりするものであり、手摺を使用する被介護者等の移動動線に任意に適合できるように自在な対応を可能にするものでなかった。
【００１１】
【発明が解決しようとする課題】
本発明は、上記の状況に鑑みて従来の問題点を改善するために提案するものであり、壁面から片持ち状態に支持しながら、その先端位置を任意の位置に設定させることで、被介護者等の移動動線を連続したものに容易に形成できる自在手摺を提供している。
【００１２】
【課題を解決するための手段】
本発明による自在手摺は、起き上がり、転倒防止等のために壁面等の保持体に取付けられる手摺において、手摺部が保持体から片持ち状態に支持され手摺部の先端位置を任意の位置に設定することを基本にしており、具体的には、手摺部の先端位置を伸縮自在に調整したり、手摺部の支持された保持体からの開度を任意に調整することを特徴としており、手摺部の先端位置を任意に設定して被介護者等の移動動線を連続したものに容易に形成できる。
【００１３】
【発明の実施の形態】
本発明による自在手摺は、手摺部が保持体から片持ち状態に支持され手摺部の先端位置を任意の位置に設定するために、手摺部の先端位置を伸縮自在に調整し、手摺部の支持された保持体からの開度を任意に調整している。
以下に、本発明による自在手摺の実施の形態を図面に基づいて詳細に説明する。
【００１４】
図１は、本発明による自在手摺を壁面に取り付けた実施の形態を斜視図で示しており、自在手摺１は、上下２段に配置された中空パイプ２−１、２−１から構成される基礎部材２と基礎部材２に伸縮自在に遊嵌しているＵ字状の先端部３及び基礎部材２を回動可能に支持して上下２段に配置されている支持部４−１、４−１を装備した取付部材４から構成されている。
【００１５】
本実施の形態における基礎部材２は、上下２段に配置される直径３８ｃｍ、長さ５０ｃｍのステンレス製中空パイプ２−１、２−１とこの間に配置されて相互間を結合する結合部材２−２から構成されており、中空パイプ２−１、２−１は、結合棒の先端部２−９によって取付部材４の支持部４−１、４−１に回動自在に軸支されている。
【００１６】
基礎部材２の回動範囲は、図示からも明らかなように左右に１８０度であり、その位置は、支持部４−１に設けられている設定レバー４−２の操作によって任意に設定できることから、自在手摺１は、壁面５からの左右における開度を適宜に調整できるものであり、左右に１８０度の任意の位置に随意に配置できるものである。
【００１７】
又、本実施の形態におけるＵ字状の先端部３は、直径３４ｃｍ、長さ６０ｃｍのステンレス製中空パイプから構成されているが、基礎部材２を構成している中空パイプ２−１との嵌合長さは１０ｃｍ程度あれば充分であることから、取付部材４を取り付け支持される保持体である壁面５からの先端部３の長さは、最小７０ｃｍ、最大１００ｃｍに伸縮させることができる。
【００１８】
そして、結合部材２−２には、先端部３の伸縮位置を設定するための把持レバー２−３が装備されており、把持レバー２−３を操作することで、Ｕ字状の先端部３を移動自由の状態にしている。
【００１９】
それ故に、自在手摺１は、その長さを７０ｃｍにして壁面５内に収納、整理することを可能にすると共に、７０ｃｍ〜１００ｃｍの伸縮長さの範囲と、左側壁面５から右側壁面５までの１８０度範囲における任意の開度位置とに容易に設定できるものであり、加えて、壁面５からの先端部３の位置は、必要に応じて任意に微調整することもできるものである。
【００２０】
従って、本発明による自在手摺は、保持体の実施の形態である壁面に取り付けることによって、先端部の設置位置を上記のように自由自在に設定できるものであることから、ベッド側面等への到達を容易にすると同時に、此処からのトイレ、洗面所及び他の設備等への任意な動線を容易に設置できるものであり、要介護者の起きあがり等において、転倒を防ぎながらの優しい通路軌道の堅固な形成を簡易かつ確実にしている。
【００２１】
次ぎに、本実施の形態における自在手摺の細部について説明する。
図２は、図１の斜視図を（Ａ）矢視した基礎部材における結合部材近傍の部分側面図（ａ）と同図を（ｂ）−（ｂ）矢視した断面図（ｂ）である。
【００２２】
部分側面図（ａ）に示すように、中空パイプ２−１、２−１と嵌合している先端部３のＵ字状中空パイプの嵌合部３−１には、複数の設定孔３−２が５ｃｍ間隔に配置されており、適宜の設定孔３−２には、断面図（ｂ）が示しているように、結合部材２−２内の透孔２−４に図示のように遊嵌的に配置されてバネ２−５で押圧されている突起棒２−６が挿入されるものであって、先端部３の伸縮位置を任意に限定している。
【００２３】
又、突起棒２−６には、前述の把持レバー２−３がＬ字状に結合されており、把持レバー２−３、２−３をバネ２−５に抗して把持することによって、突起棒２−６を設定孔３−２から離脱させており、これによって、Ｕ字状の先端部３を移動自由の状態にすることを可能にしている。
【００２４】
尚、本実施の形態では、特に限定されるものでないがプラスチック被覆２−７が装着されており、把持レバー２−３の把持操作を容易にしている。
【００２５】
図３は、図１の斜視図を（Ｂ）矢視した基礎部材を支持している取付部材を部分断面にした側面図（ａ）と平面図（ｂ）である。
【００２６】
本実施の形態における取付部材４は、上下２段に配置された基礎部材２の各中空パイプ２−１、２−１の端部２−８、２−８を上下２段に配置の支持部４−１、４−１に回動自在に軸支している。
【００２７】
又、基礎部材２の回動範囲は、支持部４−１に設けられている設定レバー４−２の操作によって任意に設定できることから、自在手摺１は、壁面５からの左右における開度を適宜に調整できるものであり、左右に１８０度の任意の位置に随意に配置できるものである。
【００２８】
各中空パイプ２−１の端部２−８には、加工された先端部２−９を支持部４−１に回動可能に支持されている結合棒２−１０が嵌合されている。先端部２−９は、支持部４−１を構成している上下の保持板４−３、４−３’間に挟持されており、保持板４−３と先端部２−９とには、遊孔４−４が形成されていて、設定レバー４−２と一体に結合されているねじボルト４−５と遊嵌している。
【００２９】
一方の保持板４−３’には、ねじボルト４−５と螺合するねじ穴４−６が形成されており、バネ４−７を介在させながら設定レバー４−２を回転させることで、保持板４−３を弾力的に押圧しており、これによって、結合棒２−１０の先端部２−９を固定して自在手摺１の先端部３を壁面５から所定開度の位置に設定している。
【００３０】
尚、本取付部材４の外径寸法と壁面５への装着等は、力学的に適当な板厚や外径寸法に決めると共にボルト、ビス等通常の固着装置によって適宜に実施できるものであり、特別に規定されるものでない。
【００３１】
以上のように、本発明による自在手摺は、起き上がり、転倒防止等のために壁面等の保持体に取付けられる手摺において、手摺部が保持体から片持ち状態に支持され手摺部の先端位置を任意の位置に設定することを基本にして手摺部の先端位置を伸縮自在に調整したり、手摺部の支持された保持体からの開度を任意に調整することを特徴としているので、先端部の設置位置を自由自在に設定できることでベッド側面等への到達を容易にすると同時に、此処からのトイレ、洗面所及び他の設備等への任意な動線を容易に設置し、要介護者の起きあがり等においても転倒を防ぎながら優しい通路軌道の堅固な形成を簡易かつ確実にしている。
【００３２】
以上、本発明を実施の形態に基づいて詳細に説明してきたが、本発明による自在手摺は、手摺の具体的な形状や材質及び適用範囲等において上記実施の形態に何ら限定されるものでなく、本発明の趣旨を逸脱しない範囲において、出願時において既に公知のものを適用することによる種々の変更が可能であることは、当然のことである。
【００３３】
【発明の効果】
本発明による自在手摺は、起き上がり、転倒防止等のために壁面等の保持体に取付けられる手摺において、手摺部が保持体から片持ち状態に支持され手摺部の先端位置を任意の位置に設定し、手摺部の先端位置を伸縮自在に調整したり、手摺部の支持された保持体からの開度を任意に調整することを特徴としているので、下記のような具体的な効果を確保することで、手摺部の先端位置を任意に設定して被介護者等の移動動線を連続したものに容易に形成できる効果を発揮している。
【００３４】
▲１▼先端部の設置位置を自由自在に設定できる。
▲２▼ベッド側面等への手摺の到達を容易にしてトイレ、洗面所及び他の設備等    への任意な動線を容易に設置できる。
▲３▼被介護者の起きあがり等において、転倒を防ぎながら優しい通路軌道を簡    易かつ確実に形成できる。
【図面の簡単な説明】
【  図１】本発明による自在手摺の実施の形態を示す斜視図
【  図２】図１を（Ａ）矢視した部分側面図（ａ）と同図を（ｂ）−（ｂ）矢視した断面図（ｂ）
【  図３】図１を（Ｂ）矢視した部分側面図（ａ）と平面図（ｂ）
【  図４】従来の手摺図
【  図５】従来の他の手摺
【符号の説明】
１  自在手摺、  ２  基礎部材、  ２−１  中空パイプ、
２−２  結合部材、  ２−３  把持レバー、  ２−４  透孔、
２−５  バネ、  ２−６  突起棒、  ２−８  端部、  ２−９  先端部、
３  先端部、  ３−１  嵌合部、  ３−２  設定孔、  ３−３
４  取付部材、  ４−１  支持部、  ４−２  設定レバー、
４−３、４−３’  保持板、  ５  壁面、  ２０  可動式手摺構造、
２１  壁面、  ２２  手摺、  ２３  手摺の一端、  ２４  反対側の端部、
２４’、２４”  受け台、  ２５  手摺ロッド、  ２６  取り付け基部、
２７  支持部材、  ２８  プレート、  ２９  水平基軸、
３０  渦巻きスプリング、
【図１】
2004244823.tif 000003
【図２】
2004244823.tif 000004
【図３】
2004244823.tif 000005
【図４】
2004244823.tif 000006
【図５】
2004244823.tif 000007